(57)【要約】      （修正有）【課題】台座付きの位牌において、札板の戒名彫りに対応した取り付け、取り外しを容易にするとともに、札板と台座の正面が一致する取り付け状態でのみ取り付けられるようにすることによって、札板の正面を判定できる台座付きの位牌を提供する。【解決手段】台座１と札板２が相互に独立した別体のものに構成され、マグネット部を介して着脱可能に取り付けられるようになっているとともに、マグネット部が台座側着座面および札板側当接面の対向する２か所に設けられた２組のマグネット１１Ｌ、１１Ｒ、２１Ｌ、２１Ｒよりなり、該２組のマグネットが、札板の正面が台座の正面と一致する状態で取り付けられた時にのみ吸着するようにした。【選択図】図６
0003234871.tif 000002
【実用新案登録請求の範囲】
【請求項１】
台座と該台座に立設される札板が、相互に独立した別体のものに構成され、マグネット部を介して着脱可能に取り付けられるようになっているとともに、上記マグネット部が、上記台座側着座面および上記札板側当接面各々の対向する左右２か所に設けられた左右一対２組のマグネットよりなり、該２組のマグネットは、上記札板の正面が上記台座の正面と一致する状態で取り付けられた時には相互に吸着するが、上記札板の正面が上記台座の正面と一致しない状態で取り付けられた時には吸着しない極性関係に設定されていることを特徴とする位牌。
【請求項２】
台座に取り付けられる札板が複数枚設けられており、その内の任意の札板を選んで台座に取り付けることができるように構成されていることを特徴とする請求項１記載の位牌。
【考案の詳細な説明】
【技術分野】
【０００１】
本願考案は、台座と札板を別体のものとし、マグネットを介して容易に結合一体化できるようにした位牌の構造に関するものであり、さらに詳しくは、札板と台座の正面が一致する取り付け状態でのみ結合一体化されるようにした位牌の構造に関するものである。
【背景技術】
【０００２】
仏具としての位牌には、高級なものから一般的なものまで各種のものがあるが、基本的には、台座と該台座の上部に立設される札板の２つの部分から構成されている。そして、札板は、戒名彫り、戒名書きの必要があることから、例えば台座上面側の嵌合溝に札板下面側の凸部を嵌合することにより着脱可能に取り付けられており（いわゆる差込型構造）、必要に応じて台座から取り外すことができるように構成されている（特許文献１の位牌の構成を参照）。
【０００３】
また、一部には、そのような嵌合構造に変えて、位置決め用の小さな凹凸嵌合部と吸着用のマグネット部とを組み合わせて、着脱可能としたものもある（特許文献２の位牌の構成を参照）。
【０００４】
すなわち、仏壇店や仏具店で販売されている位牌の札板部分は無地の状態であり（図１および図２の札板部分を参照）、仏壇店や仏具店は、位牌の販売に際し、購入者（遺族）から故人の戒名が書かれた白木の仮位牌（又は位牌原稿）を預かり、販売した位牌の札板部分を台座から取り外して、戒名彫り、戒名書き作業を行い、戒名を入れた後に再び台座に嵌合することによって一体化し、これを本位牌として購入者に引き渡すようになっている。戒名彫りは、人手による手彫り作業や工場での機械彫り作業により行われ、台座から取り外した札板の正面（表面／おもてめん）に故人の戒名（希望に応じて没年月日や俗名、行年）を彫り、同部分に金箔や金粉を入れて仕上げる。戒名書きの場合も同様である。
【０００５】
このため、札板と台座は相互に着脱しやすいことが望まれるが、他方、戒名彫り、戒名書きが修了し、本位牌として完成した後には、台座に対して正確に位置決めされた状態（正面および相互位置が合致した状態）で、安定した状態に保持されることが必要である。
【０００６】
また一方、取り外した札板の正面に、適切な戒名彫り、戒名書き作業を行うためには、当該札板の正面（表面）と背面（裏面）を間違えないようにしなければならない。
【０００７】
従来一般の漆塗り位牌では、美しい戒名彫りや戒名書きが行えるように、戒名が入れられる正面（表面）とそうでない背面（裏面）では表面の仕上げ状態（処理および仕上げ精度）を変えているだけでなく、戒名を入れる正面（表面）にはその外周縁に金箔又は金粉での縁取りがなされるなど、明確に裏面との区別が付くように構成されていた（札板側面への箔押しを含めた、いわゆる三方金構造などの採用）。
【０００８】
また、従来一般の位牌の場合、上記戒名彫りや戒名書き作業が修了した後の台座と札板とは常に１対１の関係にあり、相互に対応関係が固定された特定の故人（１〜２人）専用の一基の位牌として構成されているものが殆どである。
【先行技術文献】
【特許文献】
【０００９】
【特許文献１】実用新案登録第３１４１０１７号公報（図１又は図２）
【特許文献２】特開２０１２−２１３５３８号公報（図２）
【考案の概要】
【考案が解決しようとする課題】
【００１０】
以上のように、従来の位牌は、台座と該台座の上部に設けられる札板が相互に着脱可能となっているが、それは台座側の嵌合溝に札板側の凸部を嵌合することにより実現されているので、台座に対する札板の固定状態を安定化させようとすると、或る程度きつく嵌め合わせることになる。そうすると、取り外しが容易でなくなるので、戒名彫りや戒名書きの時に札板を取り外すのに苦労をし、作業性が良くない。また、戒名彫り、戒名書き終了後の台座への固定の場合にも同様である。このような問題を解消し、出来ればワンタッチで容易に着脱できる着脱構造が望まれる。
【００１１】
一部には、上記のように、位置決め用の小さな凹凸嵌合部と吸着用のマグネット部とを組み合わせて着脱可能としたものもあるが、同構成では、札板の下部に台座の上面（茄子座）に対応した受け部（二の板）を一体化し、該受け部（二の板）の底面と台座の上面（茄子座）間に位置決め用の小さな凹凸嵌合部と吸着用のマグネット部とを設けて位置決めした上でマグネットにより結合力を得るようにしており、決して着脱が容易と言えるようなものではない。しかも、二の板に相当する大きな幅の受け部が札板の下端に一体化されており、それらを取り外しても、とても容易に戒名彫り、戒名書き作業を行うことができない。
【００１２】
一方、適切な戒名彫りや戒名書きを行えるようにするために、札板の正面（表面）はそれに適した素材面が選ばれ、戒名彫り、戒名書きに適した適切な処理（加工）が施されており、正面（表面）と背面（裏面）とは決して同一の構成とはなっていない。したがって、これらを表裏両面の形態を変えることなく（三方金構造等にすることなく）、何らかの方法で明確に区別できるようにすることが望まれる。
【００１３】
最近では、位牌の種類も増えてモダンになってきており、従来一般の漆塗りタイプの位牌だけでなく、木目を生かした各種家具調の唐木位牌（チーク、ウォールナットなど）も提供されている。このような唐木位牌の札板では、木目の美しさを生かすために素材面を余り加工することなく使用しており、また金箔又は金粉その他での縁取りもなされていないものがあり、そのような札板では、一旦台座から取り外されると、背面（裏面）と正面（表面）の区別が容易には付きにくい。
【００１４】
また、最近では、核家族化の進展や都市部でのマンション生活の増加に伴って、仏壇の形態も大きく変わって来ており、大きくて高価な仏壇に代わって、小さくて安価なモダン仏壇が好まれるようになっている。このような仏壇に使用される位牌の場合、仏壇に合わせて位牌自体も小さくて安価なタイプのものが選ばれている。
【００１５】
このような位牌の札板の場合にも、従来一般の位牌のように正面（表面）の外周縁に金箔又は金粉での縁取りが施されることもなく、一見しただけでは正面（表面）と背面（裏面）の区別が付かないものが増えている。したがって、これらの札板の場合にも、表裏を間違えることなく適切な戒名彫りや戒名書きを行うために、縁取り等で表裏両面の形態（木目など）を変えることなく、何らかの方法で表裏を明確に区別できるようにすることが望まれる。
【００１６】
なお、この場合、背面（裏面）についても正面（表面）と同質の構成に仕上げることにより、何れの面に戒名彫り、戒名書きを行っても良いようにすることが考えられるが、例えば上記木目を生かした札板の場合、正面（表面）と背面（裏面）を全く同一面に構成することは難しいし、その他の素材の場合にも、正面（表面）と背面（裏面）を全く同質面に構成することはコスト的に高くつく欠点を有している。
【００１７】
さらに、上記従来の位牌の場合、嵌合構造により着脱可能とはなっているが、それはあくまでも戒名彫りや戒名書き作業のために一時的に札板を取り外す必要があるからだけであり、戒名彫りや戒名書き作業が修了した後の台座と札板とは常に１対１の関係にあり、相互に対応関係が固定された特定の故人（１〜２人）専用の一基の位牌として構成されているにすぎない。
【００１８】
したがって、このような台座付きの位牌の場合、故人が多くなると、位牌の数が増え、仏壇内への収納に苦慮する事態を招く。また、コスト的にも高くつく。複数枚の位牌札をケース内に収納し回出して使用する回出位牌もあるが、回出位牌の場合は、宗派によっては使用できない場合もあり、また開閉扉を備えた所定の収納ケースを必要とするなど、必ずしも小型、低コスト化し得ない。
【００１９】
したがって、例えば台座部と札板部とを相互に独立した別体の構成とし、必要に応じて結合一体化して使用できるようにし、一つの台座で複数枚の札板を共用できるようにすることが望まれる。
【００２０】
本願考案は、これらの課題を解決するためになされたもので、台座と札板をマグネットを介して着脱可能にすることによって、札板の戒名彫り、戒名書きに対応した取り付け、取り外しを容易にするとともに、札板と台座の正面が一致する取り付け状態でのみ結合一体化されるようにすることによって、札板の正面を判定できるようにした位牌を提供することを目的とするものである。
【課題を解決するための手段】
【００２１】
本願考案は、上記の課題を解決するために、次のような課題解決手段を備えて構成されている。
【００２２】
（１）請求項１の考案の課題解決手段
請求項１の考案の課題解決手段は、台座と該台座に立設される札板が、相互に独立した別体のものに構成され、マグネット部を介して着脱可能に取り付けられるようになっているとともに、上記マグネット部が、上記台座側着座面および上記札板側当接面各々の対向する左右２か所に設けられた左右一対２組のマグネットよりなり、該２組のマグネットは、上記札板の正面が上記台座の正面と一致する状態で取り付けられた時には相互に吸着するが、上記札板の正面が上記台座の正面と一致しない状態で取り付けられた時には吸着しない極性関係に設定されていることを特徴としている。
【００２３】
この考案の課題解決手段では、台座と札板が相互に独立した別体のものに構成されていて、それら台座と札板がマグネット部を介して着脱可能に一体化されるようになっているので、戒名彫りや戒名書き時の札板の取り外しが容易（ワンタッチ）になり、戒名彫り、戒名書き時の作業性が良くなる。また、戒名彫り、戒名書き終了後の台座への取り付けも容易（ワンタッチ）になる。
【００２４】
しかも、その場合において、上記札板を上記台座に取り付けるマグネット部は、上記台座側着座面および札板側当接面各々の対向する左右２か所にそれぞれ設けられた左右２組のマグネットにより構成されており、該左右２組のマグネットは、上記札板の正面が台座の正面と一致する状態で取り付けられた時には吸着するが、上記札板の正面が台座の正面と一致しない状態で取り付けられた時には吸着しない極性関係、たとえば上記札板の正面が上記台座の正面と一致する状態で取り付けられた時には左右の一方がＮ−Ｓ（又はＳ−Ｎ)、他方がＳ−Ｎ（又はＮ−Ｓ)となる関係、他方、上記札板の正面が上記台座の正面と一致しない状態で取り付けられた時には左右の一方がＳ−Ｓ（又はＮ−Ｎ）、他方がＮ−Ｎ（又はＳ−Ｓ)となる関係にして設けられている。
【００２５】
つまり、上記台座側左右のマグネットの極性がＳ−Ｎの関係であったとしたら、札板側左右のマグネットの極性がＮ−Ｓ、上記台座側左右のマグネットの極性がＮ−Ｓの関係であったとしたら、札板側左右のマグネットの極性がＳ−Ｓに設定されている。
【００２６】
したがって、同構成では、札板の表面が台座の正面と一致する正面状態で取り付けられた時には相互に吸着して札板の正面が前を向いた状態で確実に固定される。他方、札板の正面が台座の正面と一致しない背面が台座の正面を向いた状態で取り付けられた時には相互に反発して取り付けることができないことになる。
【００２７】
この結果、同構成によれば、札板が全く無地の木目状態で、一見して表面であるか裏面であるかが分からないような札板の場合にも、上記マグネットの吸着状態から容易に表裏面を判別することができるようになる。
【００２８】
これにより、戒名彫り、戒名書き作業を行う作業者は、正しく取り付けられている台座からの札板取り外し時において、札板の正面側を容易に確定することができ、また、後に正面が分からなくなったとしても、一つの台座に取り付けてみれば容易に判別することができる。
【００２９】
このため、札板の構成如何にかかわらず、常に札板の表裏面を誤認することなく、適正に戒名を入れることができる。
【００３０】
また、同様の作用により、戒名が入れられた札板を台座に取り付ける場合にも、常に台座の正面側と一致する状態で容易に取り付けることができる。
【００３１】
また、上記のように、マグネット部が、上記台座側着座面および上記札板側当接面各々の対向する左右２か所に設けられた左右一対２組のマグネットにより構成されていると、取り付け時に置いて、一組のマグネットの場合のような水平面方向（軸周り方向）の位置ずれがなく、左右２位置で確実に位置決めされる。また、吸着状態も安定する。
【００３２】
（２）請求項２の考案の課題解決手段
請求項２の考案の課題解決手段は、上記請求項１の考案の課題解決手段において、台座に取り付けられる札板が複数枚設けられており、その内の任意の札板を選んで台座に取り付けることができるように構成されていることを特徴としている。
【００３３】
このように、一つの台座に対して複数枚の札板が設けられており、その内の任意の札板を選んで取り付けることができるように構成されていると、一つの台座を複数枚の札板の取り付けに共用することができるようになる。
【００３４】
したがって、故人の数が多い場合にも、戒名を入れた札板のみの枚数で対応することができ、台座は１基のみで足りることになり、宗派にかかわらず、回出位牌に近い機能を実現することができる。その結果、仏壇内のスペースが大きく改善されるとともに、従来の台座・札板専用の位牌の場合に比べて、位牌購入にかかるコストが大きく低減される。
【００３５】
そのため、法要時等には、回出位牌の場合のように、当該回忌の故人の戒名が入った位牌を台座に取り付けて法要を行うことができる。
【００３６】
また、２人目以降の場合、仏壇店、仏具店は、追加する札板のみを預かって戒名彫り、戒名書きを行えばよいので、より戒名彫り、戒名書き作業も容易になる。
【００３７】
このような構成を採用した場合、台座に取り付けられていない他の札板は、たとえば複数枚（故人ごと）まとめて仏壇内の適所に収納しておくなどの方法が採用される。
【００３８】
このような構成にした場合、特に台座に対してと札板を着脱する機会が多くなるが、同構成では、台座と札板がマグネット部を介して着脱可能に一体化されるようになっているので、その着脱は容易である。
【００３９】
しかも、同マグネット部による着脱は、上記札板の正面が上記台座の正面と一致する状態で取り付けられた時には相互に吸着するが、上記札板の正面が上記台座の正面と一致しない状態で取り付けられた時には吸着しない構成になっているので、常に台座の正面と札板の正面を合わせた適正な装着が可能である。
【００４０】
また、その場合において、マグネット部のマグネットは、上記台座および札板の相互に対応する面（台座側着座面および札板側当接面）の左右２か所に所定の間隔をおいて２組設けられている。このように相互の吸着部を左右２か所に分け、所定の間隔をおいて設けると、吸着後の左右前後の位置が確実に規定され、きちんと位置決めされた状態で固定される。
【考案の効果】
【００４１】
以上の結果、本願考案によると、戒名彫り、戒名書き作業時における札板の取り外し、取り付け操作がワンタッチ操作で行えるようになり、作業が著しく容易になる。
【００４２】
また、同戒名彫り、戒名書き作業時における札板正面の判定が容易になり、正面であることを示す特別な縁取りなどがなくても、確実に正面を特定することができる。
【００４３】
また、台座付き位牌の場合において、一つの台座を複数枚の札板に供用することができ、台座位牌の購入コストを低減することができるだけでなく、仏壇内の設置スペースを大きく改善することができる。
【図面の簡単な説明】
【００４４】
【図１】本願考案の実施の形態に係る位牌（戒名を入れる前の販売状態における位牌）の全体的な構成を示す斜視図である。
【図２】同位牌の正面図である。
【図３】同位牌における台座部と札板部を分離した状態における構成を示す正面図である。
【図４】図１および図２に示した本願考案の実施の形態に係る位牌の札板部分を図３のように台座部から取り外し、台座部上面側のマグネットと札板部下面側のマグネットとの相互に対応する構成（関係）を示した斜視図である。
【図５】同位牌の台座部と札板との結合部（マグネット部）の構成を示す拡大断面図（図１のI−I線切断部の拡大断面図）である。
【図６】同位牌の台座部と札板との結合部（図５）の構成の作用を説明する一部切り欠き正面図である。
【図７】図１〜図６の構成の位牌における札板部分を台座部分から取り外し、戒名彫り、戒名書きを行った後の札板（単体）の構成を示す正面図である。
【図８】図７の構成の札板（戒名を入れた後の札板）を複数枚（３枚）設け、それらの内の任意の札板を選んで台座に取り付けるようにした場合の構成を示す正面図である。
【図９】図１〜図８の位牌の札板の一部を変形した変形例に係る位牌の札板部分の構成を示す正面側斜視図である。
【図１０】同札板部分の構成を示す背面側斜視図である。
【図１１】同札板部分の構成を示す断面図（図９のII−II線切断部断面図）である。
【考案を実施するための形態】
【００４５】
以下、図１〜図１１を参照して、本願の考案を実施するための形態（以下、本実施の形態と言う）に係る位牌の構造について詳細に説明する。
【００４６】
＜本実施の形態に係る位牌の基本的な構造：図１〜図６＞
先ず図１〜図６は、仏壇店、仏具店での販売状態（札板２に戒名が入れられていない状態）における本実施の形態に係る位牌の基本的な構造を示している。
【００４７】
すなわち、同状態における本実施の形態に係る位牌は、たとえば図１〜図６に示すように、框構造の台座１と該台座１の上部に立設される札板（正面部が無地）２が、相互に独立した別体のものに構成され、マグネット部を介して着脱可能に取り付けられるようになっているとともに、上記マグネット部が、上記台座１側下面（着座面）１ｂおよび上記札板２側下面（当接面）２ｂ各々の対向する左右２か所に設けられた左右一対２組のマグネット１１Ｌ・２１Ｌ、１１Ｒ・２１Ｒよりなり、該２組のマグネット１１Ｌ・２１Ｌ、１１Ｒ・２１Ｒは、上記札板２の正面が上記台座１の正面と一致する図１および図２のような状態で取り付けられた時には相互に吸着するが、上記札板２の正面が上記台座１の正面と一致しない状態（図１および図２と逆向きの状態）で取り付けられた時には吸着しない極性関係に設定されている。
【００４８】
台座１は、当然ながら、仏壇内においてその正面１ａ側を前面に向けて使用されるが、この台座１としては正面１ａ側が識別できるものであれば形状や構造は自由である。この実施の形態の場合、一例として框部１Ａの上に受け部１Ｂ、茄子座１Ｃ、二の板１Ｄを設けた一般的な形状、構造のものが採用されている。そして、二の板１Ｄの上面が台座１の上面１ｂを形成している。
【００４９】
この実施形態の場合、当該台座１の正面側各部は上下円弧面上に前面側に膨出しているが、背面側は上下にフラットな対照面に形成されている。したがって、該台座１の正面１ａ背面は容易に区別が付くが、この実施の形態の場合には、特に正面１ａ側の一側に宝石状の飾り１２，１２，１２を設けているので、より台座１の正面１ａが分かりやすくなっている。
【００５０】
一方、札板２は、縦長の木製板よりなり（たとえばチーク、ウォールナットなど）、その正面２ａおよび背面２ｃ部分には共に所定の木目が表されている。そして、該札板２は、たとえば図３、図４に示されるように、販売後、必要に応じて台座１から取り外され、その正面２ａ部分に戒名彫り、戒名書きが行われ、故人の戒名２２が入れられる。そして、この戒名彫り、戒名書きが終了すると、札板２は再び台座１に取り付けられ、本位牌として、購入者（遺族）に引き渡される。
【００５１】
この実施の形態の場合、この戒名彫り、戒名書き作業を容易にするために、上記札板２と台座１は、上記台座１側下面（着座面）１ｂおよび上記札板２側下面（当接面）２ｂ各々の対向する左右２か所に設けられた左右一対２組のマグネット１１Ｌ・２１Ｌ、１１Ｒ・２１Ｒを介して極めて容易にワンタッチで着脱できるように取り付けられている。
【００５２】
すなわち、台座１の上面１ｂの左右には所定の間隔をおいて所定の極性のマグネット１１Ｌ，１１Ｒが、また札板２の下面２ｂにはそれら台座１側のマグネット１１Ｌ，１１Ｒに吸着する逆極性のマグネット２１Ｌ，２１Ｒが設けられている。そして、これら左右一対２組のマグネット１１Ｌと２１Ｌ、１１Ｒと２１Ｒを吸脱着させることで、上記台座１に対して札板２を着脱自在としている。
【００５３】
したがって、この実施の形態の札板取り付け構造では、札板２への戒名彫り、戒名書き作業を行うために台座１から札板２を取り外す作業、戒名彫り、戒名書き作業終了後に当該札板２を台座１に取り付ける作業が容易、かつ簡単になる。
【００５４】
しかも、この実施の形態の場合、上記左右一対２組のマグネット１１Ｌ・２１Ｌ、１１Ｒ・２１Ｒは、上記札板２の正面２ａが上記台座１の正面１ａと一致する図１および図２の状態で取り付けられた時には相互に吸着する（反発しない）が、上記札板２の正面が上記台座１の正面と一致しない状態（図１および図２と逆向きの状態）で取り付けられた時には吸着しない（反発する）、図５のような極性関係に設定されている。
【００５５】
すなわち、上記札板２の正面２ａが上記台座１の正面１ａと一致する状態で取り付けられた時には左右の一方がＮ−Ｓ（又はＳ−Ｎ)、他方がＳ−Ｎ（又はＮ−Ｓ)となる関係、他方、上記札板の正面が上記台座の正面と一致しない状態で取り付けられた時には左右の一方がＮ−Ｎ（又はＳ−Ｓ）、他方がＳ−Ｓ（又はＮ−Ｎ)となる関係に設けられている。
【００５６】
例えば図５および図６に示すように、上記台座１側左右のマグネット１１Ｌ，１１Ｒの極性がＮ−Ｓの関係であったとしたら、札板２側左右のマグネット２１Ｌ・２１Ｒの極性がＳ−Ｎ、上記台座１側左右のマグネット１１Ｌ，１１Ｒの極性がＳ−Ｎの関係であったとしたら、札板２側左右のマグネット２１Ｌ・２１Ｒの極性がＮ−Ｓに設定されている。
【００５７】
したがって、同構成では、札板２の正面２ａが台座１の正面１ａと一致する正面状態で取り付けられた時（図６の（ａ）参照）には相互に吸着して札板２の正面２ａが前を向いた状態で確実に固定される。他方、札板２の正面２ａが台座１の正面１ａと一致しない背面２ｃが台座１の正面１ａを向いた状態で取り付けられた時（図６の（ｂ）参照）には相互に反発して取り付けることができないことになる。
【００５８】
この結果、同構成によれば、札板２が全く無地の木目状態で、一見して正面２ａであるか、背面２ｃであるかが分からないような札板２の場合にも、上記マグネット１１Ｌ・１１Ｒ、２１Ｌ・２１Ｒの吸着状態から容易に表裏面を判別することができるようになる。
【００５９】
これにより、戒名彫り、戒名書き作業を行う作業者は、正しく取り付けられている台座１からの札板２の取り外し時において、札板２の正面２ａ側を容易に確定することができ、また、後に正面２ａが分からなくなったとしても、一つの台座１に取り付けてみれば容易に判別することができる。
【００６０】
このため、札板２の構成如何にかかわらず、常に札板２の表裏面を誤認することなく、適正に戒名を入れることができる。
【００６１】
また、同様の作用により、戒名が入れられた札板２を台座１に取り付ける場合にも、常に台座１の正面１ａ側と一致する状態で容易に取り付けることができる。
【００６２】
また、上記のように、マグネット部が、上記台座１の下面１ｂおよび上記札板２の下面２ｂ各々の相互に対向する左右２か所に設けられた左右一対２組のマグネット１１Ｌ・１１Ｒ、２１Ｌ・２１Ｒにより構成されていると、取り付け時に置いて、一組のマグネットの場合のような水平面方向（軸周り方向）の位置ずれがなく、左右２位置で確実に位置決めされる。したがって、固定状態も安定する。
【００６３】
この場合、上記左右一対２組のマグネット１１Ｌ・１１Ｒ、２１Ｌ・２１Ｒは、たとえば断面円形で、比較的径の小さな目立たない大きさのものに構成されている。そして、それによってピンポイントでの吸着力が作用するようにし、可能な限り正確な位置決めが実現されるようにしている。
【００６４】
＜一つの台座に対して複数枚の札板を取り付けるようにした構造：図８＞
本実施の形態の位牌は、上記のようにして戒名が入れられた図７の構成の札板２が複数枚ある場合にも対応できるように構成されている。
【００６５】
すなわち、本実施の形態の位牌の場合、家庭で使用される最終的な製品形態としては、たとえば図８に示すように、１つの台座１に対して複数枚の札板２Ａ，２Ｂ，２Ｃが組み合わされて使用されるように構成されており、１つの台座１の上面１ｂに、それら複数枚の札板２Ａ，２Ｂ，２Ｃの内から選択した任意の１枚の札板を上述したマグネット１１Ｌ・１１Ｒ、２１Ｌ・２１Ｒの吸着力を利用して着脱自在にワンタッチで取り付けることができるようになっている。
【００６６】
いま図８の例では、複数枚の札板として符号２Ａ，２Ｂ，２Ｃで示す合計３枚の札板を採用しているが、札板の枚数は特に限定されるものではなく、実際には当該家庭の故人の人数に対応した使用枚数となり、必用に応じて追加されてゆく。
【００６７】
しかし、ここでの枚数は、あくまでも本願発明の構成としての例示枚数であり、本願発明の構成（技術思想）が１つの台座１に対して複数枚の札板２Ａ，２Ｂ，２Ｃ・・を取り付けることできることを前提としていることを示しているにすぎない。したがって、具体的な実施の形態の中には故人が１人しかいない場合の構成も含まれ、そのような場合には、実際に取り付けられる戒名を入れた札板が１枚と言うことも想定されるが、そのような場合にあっても、以後に追加される新たな札板にも対応できる構成であるという意味で複数枚である。
【００６８】
この場合、基本的に複数枚の札板２Ａ，２Ｂ，２Ｃは、それぞれ同じ形状、同じ大きさの縦長の木製板よりなり（たとえばチーク、ウォールナットなど）、その正面２ａ部分には、それぞれ故人の戒名２２，２２，２２が入れられている。
【００６９】
このように、一つの台座１対して複数枚の札板２Ａ，２Ｂ，２Ｃが設けられており、その内の任意の札板を選んで取り付けることができるように構成すると、一つの台座１を複数枚の札板２Ａ，２Ｂ，２Ｃの取り付けに共用することができる。
【００７０】
したがって、故人の数が多い場合にも、戒名を入れた札板のみの枚数で対応することができ、台座１は１基のみで足りることになり、宗派にかかわらず、回出位牌に近い機能を実現することができる。その結果、仏壇内のスペースが大きく改善されるとともに、従来の台座・札板専用の位牌の場合に比べて、位牌購入にかかるコストが大きく低減される。
【００７１】
そのため、法要時等には、回出位牌の場合のように、当該回忌の故人の戒名が入った位牌を台座に取り付けて法要を行うことができる。
【００７２】
また、２人目以降の場合、仏壇店、仏具店は、追加する札板のみを預かって戒名彫り、戒名書きを行えばよいので、より戒名彫り、戒名書き作業も容易になる。
【００７３】
このような構成を採用した場合、台座１に取り付けられていない他の札板は、たとえば複数枚（故人ごと）まとめて仏壇内の適所に収納しておくなどの方法が採用される。
【００７４】
このような構成にした場合、特に台座１に対してと札板２を着脱する機会が多くなるが、同構成では、台座１と札板がマグネット１１Ｌ・１１Ｒ、２１Ｌ・２１Ｒを介して着脱可能に一体化されるようになっているので、その着脱は容易である。
【００７５】
しかも、同マグネット１１Ｌ・１１Ｒ、２１Ｌ・２１Ｒによる着脱は、上記札板２の正面２ａが上記台座１の正面１ａと一致する状態で取り付けられた時には相互に吸着するが、上記札板２の正面２ａが上記台座１の正面１ａと一致しない状態で取り付けられた時には吸着しない構成になっているので、常に台座１の正面１ａと札板２の正面２ａを合わせた適正な装着が可能である。
【００７６】
このため、特に札板２の裏表を気にすることなく気楽に取り付けても、常に適正に取り付けることができる。したがって、視力の弱い人にとっても取り付け作業が容易になる。
【００７７】
また、その場合において、マグネット１１Ｌ・１１Ｒ、２１Ｌ・２１Ｒは、上記台座１および札板２の相互に対応する面（台座１側上面１ｂおよび札板２側下面２ｂ）の左右２か所に所定の間隔をおいて２組設けられている。このように相互の吸着部を左右２か所に分け、所定の間隔をおいて設けると、吸着後の左右前後の位置が確実に規定され、きちんと位置決めされた状態で固定される。
【００７８】
＜札板部分の変形例＞
図９〜図１１は、上記の札板２（２Ａ〜２Ｃ）部分の構成の一部を変更した変形例の構成を示している。
【００７９】
この変形例では、図９〜図１１に示すように、正面２ａ側の外周部分に面取り加工を施し、アール面Ｒを形成することによって、より正面側を認識しやすくしたものである。このような構成を組み合わせると、上述の作用効果がより効果的となる。
【符号の説明】
【００８０】
１は台座、１ａは台座１の正面、１ｂは台座１の上面、２は札板、２Ａ，２Ｂ，２Ｃは複数枚の札板、２ａは札板２の正面、２ｂは札板２の下面、２ｃは札板２の背面、１１Ｌ，１１Ｒは台座１側の左右のマグネット、２１Ｌ，２１Ｒは札板２側の左右のマグネットである。
【図１】
0003234871.tif 000003
【図２】
0003234871.tif 000004
【図３】
0003234871.tif 000005
【図４】
0003234871.tif 000006
【図５】
0003234871.tif 000007
【図６】
0003234871.tif 000008
【図７】
0003234871.tif 000009
【図８】
0003234871.tif 000010
【図９】
0003234871.tif 000011
【図１０】
0003234871.tif 000012
【図１１】
0003234871.tif 000013